(57)【要約】  本発明は、底部から分与する容器に入った濃縮洗剤組成物に関する。組成物及び／又は容器は透明若しくは半透明、かつ紫外線吸収材料を含む。
2009535275.tif 000002
【特許請求の範囲】
【請求項１】
液体組成物を貯蔵し分与する商品であって、
（ａ）好ましくは可視スペクトルで少なくとも２５％の透過性を有する、透明若しくは半透明の底部から分与する容器、及び、
（ｂ）前記底部から分与する容器の中に貯蔵され、
（ｉ）界面活性剤と、
（ｉｉ）組成物の１重量％〜５０重量％の水と、
（ｉｉｉ）好ましくは紫外線吸収剤、蛍光染料、及びそれらの混合物から選択される、紫外線吸収材料と、を含む、透明若しくは半透明の濃縮洗剤組成物
を備えた商品。
【請求項２】
前記透明若しくは半透明の濃縮洗剤組成物が、４１０ナノメートル〜８００ナノメートルの波長において１ｃｍのキュベットを使用した光の、少なくとも５０％の透過性を有する、請求項１に記載の商品。
【請求項３】
前記透明若しくは半透明の濃縮洗剤組成物が、ビルダー、増白剤、移染防止剤、構造剤、キレート剤、ポリアクリレートポリマー、分散剤、着色染料、香料、加工補助剤、漂白剤、漂白活性剤、漂白触媒、溶媒、酵素、汚れ放出ポリマー、及びその混合物から選択される補助成分さらにを含む、請求項１に記載の商品。
【請求項４】
前記透明若しくは半透明の底部から分与する容器が高分子材料である、請求項１に記載の商品。
【請求項５】
液体組成物を貯蔵し分与する商品であって、
（ａ）可視スペクトルで少なくとも２５％の透過性を有し、紫外線吸収材料を含む壁を有する、透明若しくは半透明の底部から分与する容器、及び、
（ｂ）前記底部から分与する容器の中に貯蔵され、
（ｉ）好ましくは、アニオン性界面活性剤、カチオン性界面活性剤、非イオン性界面活性剤、両性界面活性剤、双極性界面活性剤、及びその混合物から選択される界面活性剤と、
（ｉｉ）組成物の１重量％〜５０重量％の水と、を含む、透明若しくは半透明の濃縮洗剤組成物
を備えた商品。
【請求項６】
前記紫外線吸収材料が、紫外線吸収剤、蛍光染料、及びその混合物から選択される、請求項５に記載の商品。
【請求項７】
前記濃縮洗剤組成物が、４１０ナノメートル〜８００ナノメートルの波長において１ｃｍのキュベットを使用した光の、少なくとも５０％の透過性を有する、請求項５に記載の商品。
【請求項８】
前記濃縮洗剤組成物が不透明である、請求項５に記載の商品。
【請求項９】
液体組成物を貯蔵し分与する商品であって、
（ａ）可視スペクトルで少なくとも２５％の透過性を有し、かつ１つ以上のポリマーのラベルを有する、透明若しくは半透明の底部から分与する容器であって、前記ポリマーのラベルが、透明若しくは半透明であり、かつ表示と紫外線吸収材料を含む、容器と、
（ｂ）前記底部から分与する容器に貯蔵される濃縮洗剤組成物と
を備えた商品。
【請求項１０】
前記ポリマーのラベルが前記容器の表面積の５０％〜９５％を覆う、請求項９に記載の商品。
【発明の詳細な説明】
【技術分野】
【０００１】
本発明は、底部から分与する容器に入った濃縮洗剤組成物に関する。
【背景技術】
【０００２】
洗剤のような液体組成物は、従来不透明のボトルに入れられて販売されてきた。しかし、透明なボトルの使用は、製品の色、その稠度、及び存在する場合は懸濁粒子を見ることができるので、美的に消費者の興味をそそることができる。しかし、透明なボトルの使用は紫外線（ＵＶ若しくはＵＶ光としても知られる）による着色剤の破壊を引き起こす可能性がある。紫外線とは、約２５０〜約４６０ナノメートル（ｎｍ）の波長を有する光を意味する。具体的には、一般的にＵＶＡは３２０〜４００ｎｍの範囲であり、ＵＶＢは２９０〜３２０ｎｍであり、さらにＵＶＣは２９０ｎｍ未満で約２５０ｎｍまでである。
【０００３】
さらに、液体製品は包装担当技術者に困難な課題を引き起こすので、強力な液体洗剤及びその他の液体消費者製品において、最新の包装の必要性を満たすのは特に困難である。例えば、この包装は、子どもから中年、さらに老齢者まで幅広い年齢の消費者によって簡便に分与されなくてはならない。加えて、包装の構造的一体性を確立することの難しさが顕著に増加している。さらに、こうした包装を消費者に安価で提供することが望ましい。
【発明の開示】
【発明が解決しようとする課題】
【０００４】
美的に消費者の興味をそそり、容器及び／又はその内部の任意の組成物の構成要素が紫外線による破壊に耐える、使用が便利かつ容易な消費者製品の必要が継続的に存在する。
【課題を解決するための手段】
【０００５】
液体組成物を貯蔵し分与するための商品に関する本発明の１つの態様は、
（ａ）透明若しくは半透明の底部から分与する容器、及び、
（ｂ）前記底部から分与する容器の中に貯蔵され、
（ｉ）界面活性剤と、
（ｉｉ）組成物の約１重量％〜約５０重量％の水と
（ｉｉｉ）紫外線吸収材料と、を含む、透明若しくは半透明の濃縮洗剤組成物に関する。
【０００６】
液体組成物を貯蔵し分与するための商品に関する本発明の他の態様は、
（ａ）紫外線吸収材料を含む壁を有する、透明若しくは半透明の底部から分与する容器、及び、
（ｂ）前記底部から分与する容器の中に貯蔵され、
（ｉ）界面活性剤と、
（ｉｉ）組成物の約１重量％〜約５０重量％の水、とを含む、透明若しくは半透明の濃縮洗剤組成物を備えた商品に関する。
【０００７】
液体組成物を貯蔵し分与するするための商品に関する本発明の他の態様は、
（ａ）１つ以上のポリマーのラベルを有する、透明若しくは半透明の底部から分与する容器であって、前記ポリマーのラベルが、透明若しくは半透明であり、かつ表示と紫外線吸収材料を含む、容器と、
（ｂ）前記底部から分与する容器に貯蔵される、透明若しくは半透明の濃縮洗剤組成物とを備えた商品に関する。
【発明を実施するための最良の形態】
【０００８】
１）．紫外線吸収材料  −  底部から分与する容器、それに取り付けられる１つ以上のポリマーのラベル、及び／又は前記濃縮洗剤組成物は、紫外線吸収材料を含む。紫外線吸収材料は、組成物に含まれている、染料、着色剤、酵素、及びその他の構成要素などのような、紫外線の影響を受けやすい含有物を、有害な紫外線の照射から守る。底部から分与する容器、若しくはこれに付加的に取り付けられた任意のポリマーのラベルに紫外線吸収材料が含まれることが、底部から分与する容器の材料を有害な紫外線の放射から保護する役割を果たす。
【０００９】
いかなる好適な紫外線吸収材料を使用してもよい。１つの実施形態では、紫外線吸収材料は、紫外線吸収剤、蛍光染料、及びそれらの混合物から選択される。
【００１０】
紫外線吸収材料の含まれる量は、その材料の含まれる場所（すなわち、ポリマーのラベルの中、濃縮洗剤組成物中、及び／又は底部から分与する容器の中など）、どの紫外線吸収材料が使用されるか、及び／又はどの紫外線の影響を受けやすい材料が濃縮洗剤組成物の中に含まれるかなどのような、数多くの要素により異なる。
【００１１】
１つの実施形態では、紫外線吸収材料が濃縮洗剤組成物中に含まれる量は、濃縮洗剤組成物の約０．００１重量％〜約５重量％、より具体的には約０．０５重量％〜約１％重量である。
【００１２】
他の実施形態では、紫外線吸収材料が任意の１つのポリマーのラベル中に含まれる量は、ポリマーのラベルの約０．０００１重量％〜約５重量％、より具体的には約０．０５重量％〜約１重量％である。
【００１３】
他の実施形態では、紫外線吸収材料が底部から分与する容器中に含まれる量は、底部から分与する容器の約０．０００１重量％〜約３重量％、より具体的には約０．０５重量％〜約１重量％である。
【００１４】
紫外線吸収剤  −  紫外線吸収剤類の中で、使用してもよいものは、ベンゾフェノン類、サリチル酸類、ベンゾトリアゾール類、ヒンダードアミン類、及びアルコキシ（メトキシなど）ケイ皮酸類である。これらの種類の列挙は、他の種類の紫外線吸収剤の使用の可能性に制限を与えることを意味するものではない。
【００１５】
この用途に特に有用な水溶性の紫外線吸収剤には、以下のものが含まれるが、これに限るものではない：フェニルベンゾイミダゾールスルホン酸（ネオ・へリオパン（Neo Heliopan）、タイプ・ハイドロ（Type Hydro）としてハーマン・アンド・ライマー社（Haarmann and Reimer Corp.）から販売されている）、２−ヒドロキシ−４−メトキシベンゾフェノン−５−スルホン酸（シンテース（Syntase）２３０としてローヌ・プーラン社（Rhone-Poulenc）、及びユビナール（Uvinul）ＭＳ−４０としてバスフ社（BASF Corp.）より販売されている）、２−（２−ヒドロキシ−５−メチルフェニル）ベンゾトリアゾール(チヌビン（Tinuvin）Ｐとして米国ニューヨーク州タリータウンのチバ・ガイギー社（Ciba-Geigy Corp.）より販売されている）、ナトリウム２，２’−ジヒドロキシ−４，４’−ジメトキシ−５−スルホベンゾフェノン（ユビナール（Uvinul）ＤＳ−４９としてバスフ社（BASF Corp.）より販売されている）、及びＰＥＧ−２５パラアミノベンゼン酸（ユビナール（Uvinul）Ｐ−２５としてバスフ社（BASF Corp.）より販売されている）。
【００１６】
使用してもよい他の紫外線吸収剤は、マカッチャン（McCutcheon）の機能材料（Functional Materials）第２巻、北米版、マニュファクチャリング・コンフェクショナー・パブリッシング（Manufacturing Confectioner Publishing）社刊（１９９７）に定義されており、ここに、その写しは参考として出願書類に組み込まれる。
【００１７】
紫外線吸収剤は蛍光染料とともに若しくは別に調合され含まれていてもよい。この調合に含まれる紫外線吸収剤の量は、約０．００１％〜約３％であり、さらに具体的には約０．０５％〜約１％である。
【００１８】
蛍光染料  −  使用してもよい蛍光染料の種類には、スチルベン類、クマリン及びカルボスチリル化合物類、１，３−ジフェニル１−２−ピラゾリン類、ナフタルイミド類、ベンツアズジル、エチレンの代用品、フェニルエチレン、スチルベン、チオフェン、及び化合したヘテロ芳香族化合物が含まれる。
【００１９】
使用してもよい蛍光染料の中には、さらに、参考として本特許に組み込まれる２つの特許、スピーグラー（Spiegler）による米国特許番号２，７８３，２２０号、若しくはウィルソン（Wilson）らによる米国特許２６１２，５１０号に教示されているような、ジアミスチルベンのスルホン酸塩類の誘導体がある。ここに参考として本出願に組み込まれている米国特許５，０８２，５７８号で教示されている高分子の蛍光増白剤は、本発明においても意図されている。
【００２０】
オプティブランクＭＴＢ及びオプティブランクＮＷ（スチルベン・トリアジン誘導体）は染料の商品名の中で、使用してもよいものである。これらは、イタリア、ベルガモの３Ｖシグマ社（3V Sigma, S.p.A.）より入手可能である。
【００２１】
最後に、使用してもよいその他の蛍光染料は、紫外線吸収剤に関連して上に記載されたマカッチャン（McCutcheon）の機能材料（Functional Materials）第２巻、北米版に定義されている。
【００２２】
所望であれば、異なる蛍光染料を本発明の包装材料若しくはラベルに混ぜ込むことも可能である。
【００２３】
この用途に有用な蛍光染料には、以下のものが含まれるが、これらに限るものではない：チバ・ガイギー社（Ciba Geigy Corp.）製のチノパル（Tinopal）ＣＢＳ−Ｘのようなジスチリルビフェニル型類、並びにチバ・ガイギー社（Ciba Geigy Corp.）製のチノパル（Tinopal）ＡＭＳ、ＤＭＳ、５ＢＭ、及びＵＮＰＡ、及びモベイ（Mobay）社製の（ブランコファー）ＤＭＬなどのような塩化シアヌル／ジアミノスチルベン型類。蛍光染料は紫外線吸収剤とともに、若しくは別に容器に含まれていてもよい。蛍光染料は、含まれる場合は、調合、容器、若しくはラベルに、それぞれ、所望により、組成物の約０．００１重量〜約３重量％、具体的には約０．００１重量％〜約０．５重量％使用される。
【００２４】
それらの混合物  −  １つの実施形態では、紫外線吸収材料は、蛍光染料、及び／又は紫外線吸収剤の混合物を含んでもよい。
【００２５】
２）底部から分与する容器  −  本発明にかかる商品は透明若しくは半透明の底部から分与する容器を含む。１つの実施形態では、透明若しくは半透明の底部から分与する容器は、所望により、１つ以上のポリマーのラベルを底部に取り付けてもよい。
【００２６】
１つの実施形態では、底部から分与する容器は、液体を分与するための底部の開口、及び液体を分与する作動手段を含む。底部から分与する容器の１つの型は、圧搾作動する容器である。圧搾容器は通常弾性的に変形できる材料より形成され、かつ開口を貫通する流れを制御するための弁を有していてもよい開口を有する。弁を回転することによって作動する開閉弁は、使用できる弁の１つの型である。弁前後の圧力差に応じて流量を調節する感圧分与弁は、他の特に有用な弁である。このような弁は、通常、閉止であり、かつ容器が圧搾された場合に開く構成をとるように構成することができる。底部から分与する圧搾容器の所望による特徴には、分与と分与との間の液体の損失を防ぐためのキャップを含む。ポンプ機構を有する剛体材料の底部から分与する容器も、本明細書に用いるのに好適である。
【００２７】
包装底部から分与する容器は、その他の包装構成に優る、有利な点をいくつか有する。容器は反転させる必要がないので、分与するために要求される使用者の動作が少なくてすみ、位置付け及び分与の調整が、注ぐ若しくは反転して圧搾する容器よりもより良くできる。このため、例えば、使用者は、手首を捻って粘稠な液体が開口まで移動するのを待つ必要がなく、頂部から注ぐのに適合した容器の使用時に、その容器が満たされている場合に、流量を調整するのに困難を有することがない。底部から分与する容器は、ほとんど全ての液体を分与できるように構成されているが、これは、ポンプを頂部に有する容器では、通常は可能ではない。感圧弁を有する底部から分与する容器は、別途閉鎖する機構を必要としないという有利な点もある。
【００２８】
底部から分与する容器は、その材料が透明若しくは半透明である限り、任意の好適な材料から作られ得る。１つの実施形態では、この底部から分与する容器は、高分子材料からなるが、フィルム製の窓がついた板紙のカートン及びガラス瓶などのような、その他の容器も使用することができる。１つの実施形態では、底部から分与する容器は、ポリプロピレン（ＰＰ）、ポリエチレン（ＰＥ）、ポリカーボネート（ＰＣ）、ポリアミド類（ＰＡ）、ポリエチレンテレフタレート（ＰＥＴ）、ポリ塩化ビニル（ＰＶＣ）、ポリスチレン類（ＰＳ）、及びそれらの組合せから選択される高分子材料である。
【００２９】
本発明にかかる底部から分与する容器は、家庭用の液体を貯蔵かつ包装するために好適な任意の形状若しくは大きさであってもよい。例えば、１つの実施形態では、底部から分与する容器は、約１００ｍＬ〜約３０００ｍＬ、さらに具体的には約２５０ｍＬ〜１５００ｍＬの容量、すなわちその中に取り出し可能なように収容できるぎっしり詰まった液体洗剤組成物の量、を有する。１つの実施形態では、底部から分与する容器は、容易な取扱に好適であり、例えば、底部から分与する容器はハンドル、若しくは底部から分与する容器を片手で容易に持ち上げること若しくは持ち運ぶことができる寸法の部分を有し得る。
【００３０】
他の実施形態では、底部から分与する容器は、液体洗剤組成物を注ぐのに好適な手段、及び底部から分与する容器を再度閉止する手段を有する。注ぐ手段は任意の大きさ若しくは形状であってもよいが、濃縮洗剤組成物を投与するのに便利なだけ十分な幅であることが好ましい。所望による閉止手段はいかなる大きさ若しくは形状であってもよいが、通常はねじ込む、若しくはカチッとはめる、ないしは別の方法で、底部から分与する容器を閉止するように容器に取り付ける。所望による閉止手段は、底部から分与する容器から取り外すことができるキャップであってもよい。或いは、所望によるキャップは、底部から分与する容器が開放しているか閉止しているかにかかわらず、底部から分与する容器に取り付けられたままであり得る。所望による閉止手段は容器に組み込まれていてもよい。
【００３１】
１つの実施形態では、底部から分与する容器は底部から分与するボトルである。
【００３２】
底部から分与する容器は、熱成形、吹込み成形、射出成形、若しくは射出延伸吹込み成形（ＩＳＢＮ）などのような、いかなる好適なプロセスにより形成されてもよい。１つの実施形態では、紫外線吸収材料が底部から分与する容器の壁面に含まれる場合、紫外線吸収材料はボトルを作っているガラス若しくは高分子材料に溶融しているときに加えられ、底部から分与する容器を形成する前にそれとともに混合される。
【００３３】
１つの実施形態では、底部から分与する容器は、１つ以上の壁面からなり、その壁面が１つ以上の層からなり、その層の１つ以上が紫外線吸収材料を含んでいてもよい。層は、望む場合には、ごく薄く、例えば０．２５ｍｍ（０．０１インチ）未満で、５．１ｍｍ（０．２インチ）を超える厚さまでの範囲でもよく、特に、薄い側の末端では０．３８ｍｍ（０．０１５インチ）〜０．５ｍｍ（０．０２インチ）の厚さから、厚い側の末端では４．３ｍｍ（０．１７）若しくは５．０ｍｍ（０．２）の厚さまでであってもよい。
【００３４】
他の実施形態では、底部から分与する容器は、底部から分与する容器の両側にある前側と後側からなっていてもよい。
【００３５】
具体的な好適な底部から分与する容器は、ロウリー（Lowry）による２００４年３月１６日に交付された米国特許第６，７０５，４９２号、サイフェルト（Seifert）らによる１９９０年１１月１３日に交付された米国特許第４，９６９，５８１号、グロス（Gross）らによる２００２年１２月１７日に交付された米国特許第６，４９４，３４６号、フィッテン（Fitten）らによる１９９７年５月６日に交付された米国特許第５，６２６，２６２号、フィッテン（Fitten）らによる１９９７年８月１２日に交付された米国特許第５，６５５，６８７号、ドロビッシュ（Drobish）らによる１９８８年３月１日に交付された米国特許第４，７２８，００６号、アレント（Arent）らによる２００１年８月７日に交付された米国特許第６，２６９，８３７号、ドーンスブッシュ（Dornsbusch）らによる１９８８年６月７日に交付された米国特許第４，７４９，１０８号、ボルペンハイム（Volpenheim）らによる２００４年１月１３日に交付された米国特許第６，６７５，８４５号、カナダ・インク（Canada Inc）の名称で１９９２年１２月１０日に発行された「倒置されたディスペンサー」と名付けられた国際特許ＷＯ９２／２１５６９号、ユニリーバ（Unilever）の名称で２００１年１月１８日に発行された「容器」と名付けられた国際特許ＷＯ０１／０４００６号、プロクター・アンド・ギャンブル社（The Procter and Gamble Company）の名称で１９８１年１月７日に発行された欧州特許ＥＰ２１，５４５号、及びユニリーバ（Unilever）の名称で１９９７年１２月１０日に発行された欧州特許ＥＰ８１１，５５９号などに見られる。底部から分与する容器の具体的な実例は、アン・デューリー（Ann Dewree）らの名前で２００６年５月５日に出願された「布地処理分配包装容器」と名付けられた米国暫定特許同時継続出願第６０／７９７，９７５、代理人整理番号１０４０３Ｐにも見られる。
【００３６】
ポリマーのラベル  −  容器の上にはラベルを有するのが望ましい場合がある。本発明の１つの実施形態では、底部から分与する容器は１つ以上のポリマーのラベルを有する。他の実施形態では、前記ポリマーのラベルは透明若しくは半透明で、表示と紫外線吸収材料を含む。
【００３７】
ラベルは、表示等に便利な店頭で提供される。「ラベル」と言う用語は本明細書では、最も広い意味で、紫外線吸収材料と、具体的な実例、容器上へ直接の表示の取り付け（例えば印刷若しくは鋳込み）、それに取り付けられる若しくは組み合わされる基材上への表示の印刷、容器の外表面、又は容器を取り囲む箱のような包装を含んで表現されてもよい１つ以上の表示、とを含み得る、実現可能な媒体物を含むために使用される。１つの実施形態では、嗅覚的香り記述子がラベル（例えば包装）によって提供されてもよい。例えば、ラベル自体が香りを付けらている、すなわち香りを含むことが可能である。
【００３８】
本発明にかかる所望によるラベルは、一般的に、底部から分与する容器の形状を模倣していてもよい。好適なラベルの具体的な実例には、部分的に包み込むラベル、包み込むラベル、収縮包装のフィルムラベル、ステッカー、鋳込みラベル、下げ札、製品の名称を伝えるラベル、及びその組合せを含む。
【００３９】
１つの実施形態では、ラベルは透き通った基材であり、表示はラベル及び容器に印刷され、容器又はその中の組成物（容器が透明若しくは半透明の場合）を、消費者はラベルの表示がない部分を通して実質的に見ることができる。理論に束縛されるものではないが、消費者に伝える上で、透き通ったラベルは組成物の色、若しくは容器の色合いを最大限にすることができる。
【００４０】
他の実施形態では、さらなる使用者への伝達のために、ラベルは背景色を有する。例えば、香り若しくは香り記述子がモクレンとオレンジの場合、ラベルはこの香りの経験を、オレンジ色から果実のオレンジ、及び／又はオレンジの花、そして故にオレンジの香りという、視覚連合を与えられた使用者にさらに伝えるためにオレンジの背景色を有してもよい。
【００４１】
１つの実施形態では、ラベルは容器に「収縮包装」される。他の所望による実施形態では、このラベルは容器に接着剤で接着される。
【００４２】
紫外線吸収材料は任意の好適な方法で高分子材料のラベルに含まれてもよい。具体的な実例は、ラベル、若しくはラベルの接着剤、若しくはラベルの重ね刷りしたニス／コーティング内、又は容器上の共押出された「接着剤」ポリマー層、特に容器内の濃縮洗剤組成物の紫外線による紫外線吸に敏感な成分の破壊を減少するため、若しくは容器を作っている材料若しくはその成分を保護するための、紫外線吸収材料の組合せを含む。本発明によると、ラベル内の紫外線吸収材料の濃度は低くてもよい（約０．００１％〜約３％、具体的には約０．０５〜０．５重量％）。
【００４３】
前記ラベルは、存在する場合には、例えば、ポリプロピレン、ポリエチレン、（ＨＤＰＥ、ＭＤＰＥ、ＬＤＰＥ、ＬＬＤＰＥ）、ポリプロピレン（ＰＰ、ＯＰＰ）、ＰＰ及びＰＥの混合物、ポリ塩化ビニル（ＰＶＣ）、ポリエチレンテレフタレート（ＥＰＥＴ、ＰＥＴＧ、ＯＰＥＴ）、ポリスチレン（ＰＳ、ＨＩＰＳ）、並びにその組合せのような、いかなる好適な高分子材料から作られてもよい。
【００４４】
本発明は、特に透明若しくは半透明の容器のために、透明若しくは半透明のラベルの独特の使用法を見出した。本発明は、透明若しくは半透明の濃縮洗剤組成物を貯蔵する透明若しくは半透明の容器の独特の使用に関するものであるが、不透明の濃縮洗剤組成物であってもよい。
【００４５】
１つの実施形態では、ラベルは透明若しくは半透明の、インモールド若しくは感圧性のプラスチックラベルである。より具体的には、このラベルは、透き通った、透明の、若しくは半透明のボトルに貼付される。濃縮洗剤組成物の着色剤、香料、及びその他の有機化学成分は、化学結合を破断するのに十分な強さを持つ紫外線に暴露されると、劣化する可能性がある。紫外線吸収材料、及びラベル内、又はラベルの接着剤、若しくは重ね刷りしたニス／コーティングの使用は、濃縮洗剤組成物の成分を保護し、かつその外観、匂い、及び品質を保存し、さらに前記容器若しくはその他の種類のプラスチック容器を劣化からも保護する。
【００４６】
紫外線吸収材料はインモールドラベルのホットメルト接着剤、若しくは感圧性ラベルの背面の感圧性接着剤にも加えられてもよい。或いは、紫外線吸収材料はニス若しくはトップコーティングに添加されてもよい。
【００４７】
紫外線吸収材料は、製品若しくは容器、より具体的にはプラスチック若しくはポリマーの容器の紫外線の暴露からの保護を加えるために透き通ったプラスチックラベル（インモールド、又はＰＳ及びＩＭＬの感圧若しくはストレッチ又はシュリンク取り付け型に使用されるラベル接着剤のトップコーティング）に添加されてもよい。添加物の使用濃度は、約０．００１重量％〜約０．３重量％の範囲、具体的には約０．１重量％〜約０．３重量％の範囲とすることができる。ラベルの接着剤への組み込みは、プラスチックフィルム材料を、紫外線保護されていないラベルの板材料と同じままにしておけるので、製造プロセスにとって都合がよい。このことは、重ね刷りについても同様である。
【００４８】
存在する場合は、ラベルは、特に包み込み型のラベルの場合、容器の透明若しくは半透明の表面の例えば約５０％〜約９５％をカバーする。１つの実施形態では、その表面が全て或いは一部が透明若しくは半透明かどうかに関わりなく、ラベルは容器の全表面の約５０％〜約９５％をカバーする。最大限の保護のために、紫外線吸収材料を含むラベルは、紫外線吸収材料を含む容器にさらに貼付されてもよい。同様に、望むならば、その中に貯蔵される濃縮洗剤組成物が紫外線吸収材料を含んでいてもよい。
【００４９】
ＩＭＬ（インモールドラベル）のラベルの厚さは、通常約０．１ｍｍ〜約２ミリの範囲であるが、ストレッチシュリンク取り付けのラベル用にはより薄くすることができる。
【００５０】
表示
本願においては、「表示」は、香り、ブランド設定、包装、特性、音、単語、フレーズ、文字、特徴、ブランド名、会社名、会社のロゴ若しくはシンボル、説明、ロゴ、アイコン、デザイン、デザイナーの名前、シンボル、モチーフ、記号、図、印、信号、色、質感、形状、証拠、広告、及びこれらの組合せを示す。
【００５１】
１つの実施形態においては、表示は単語、フレーズ、ブランド名、会社名、説明、香料の名称、デザイナーの名前、広告、及びそれらの組合せから選ばれている。表示は１つ以上の言語であってもよい。
【００５２】
他の実施形態では、１つ以上の表示が、底部から分与する容器の上に直接印刷されていてもよい。他の実施形態では、１つ以上の表示が、容器の上にエンボスされていてもよい。
【００５３】
底部から分与する容器、変形可能な容器、及び／又は分与キャップの種々の異なる、そして所望による実施形態は、図１〜図９を参照してさらに説明され図示されるであろう。
【００５４】
図１も、変形可能な容器１１０及びこれに取り外し可能に取り付けられた分与キャップ１２０からなる底部から分与する容器１００の具体的な実例の１つである。変形可能な容器１１０は、開口１４０を持つ底末端部１３０を有する（図２）。分与キャップ１２０は変形可能な容器１１０の底末端部１３０に開口１４０をカバーして取り外し可能に取り付けられる。分与キャップ１２０が表面１５０上に直立位置で置かれていることも示されている。
【００５５】
図１は、この容器と関連した表示１６０及び１６５を有する、底部から分与する容器１００の具体的な実例の１つである。同じ或いは異なる表示１６０及び１６５は、変形可能な容器１１０及び分与キャップ１２０と関連する。この実施形態において、これと関連するこの表示１６０及び１６５は、変形可能な容器１１０及び分与キャップ１２０に接着剤でしっかりと取り付けられている、２つのラベルである。
【００５６】
図１の変形可能な容器１１０はさらに、底末端部１３０より遠位の、頂末端部を１７０有する。図１に示すように、ここでは変形可能な容器１１０に関して逆転している変形可能な容器１１０は、頂末端部１７０を表面１５０に接触して、表面１５０上に直立位置で置くこともできる。
【００５７】
前に言及したように、変形可能な容器１００及び／又は分与キャップ１２０のような、底部から分与する容器１００の任意の部分も透明若しくは半透明とすることが可能である。
【００５８】
図２は、１つの実施可能な実施形態の、図１の底部から分与する容器１００の図１の線２に沿った断面図である。この断面図は濃縮洗剤組成物１８０、及び、これを通って濃縮洗剤組成物１８０が分与される、所望による弁１７５を示す。さらに変形可能な容器１１０の壁面１９０を示す。
【００５９】
図３は、変形可能な容器３１０、及びこれに取り外し可能に取り付けられた分与キャップ３５０からなる、底部から分与する容器３００他の代替例の１つである。変形可能な容器３１０は、例えばスナップフィットなどにより、変形可能な容器３１０を分与開口３４０とともに直立位置に支持するための基部３３０を有する、分与端部３２０に取り付けられる。分与キャップ３５０は開口３４０及び弁４３０をカバーする（図５）。分与キャップ３５０は変形可能な容器３１０を直立位置に支持する。分与開口３４０の全体を覆い、かつ弁４３０及び開口３４０をカバーして、分与キャップ３５０は変形可能な容器３１０に取り外し可能に取り付けられている。分与キャップ３５０は、面３６０と、分与キャップ３５０の内部３８０を定義するためにその面から延びる、円筒形状の壁面３７０、とを有するカップ形状の部品４１０から形成されている。分与キャップ３５０の面３６０が、表面３９０上に直立位置で置かれていることも示されている。分与キャップ３５０は、濃縮洗剤組成物４５０（図５）を受け入れ、かつ分与する、より具体的には、濃縮洗剤組成物を洗濯機の中に分与することができる。
【００６０】
底部から分与する容器３００は、これに関連した表示４００及び４０５を有する。同じ或いは異なる表示４００及び４０５は、変形可能な容器３１０及び分与キャップ３０５と関連する。この実施形態において、これと関連する表示４００及び４０５は、変形可能な容器３１０及び分与キャップ３５０に接着剤でしっかりと取り付けられている、２つのラベルである。
【００６１】
図４は、変形可能な容器３１０に取り外し可能に取り付けた分与キャップ３５０を示す、図３の底部から分与する容器の分解組立図である。
【００６２】
図５は、１つの実施可能な実施形態の、図４の底部から分与する容器４００の図４の線５に沿った断面図である。この断面図は、濃縮洗剤組成物４５０を貯蔵するための内部空洞４４０、及び、これを通って濃縮洗剤組成物４５０が分与される所望による弁４５０を示す。さらに変形可能な容器３１０の壁面４２０を示す。弁４３０はその閉止状態を示し、濃縮洗剤組成物４５０が分与開口３４０を通って流れ出ることを防ぐ。
【００６３】
図６は、弁４３０の１つの実施可能な実施形態の、図５の線６に沿った断面図である。この弁４３０は、これを通るための小さい十文字状のスリット４６０を有する。
【００６４】
図７は、底部から分与する容器３００の１つの実施可能な実施形態の図４の線５に沿った断面図である。弁４３０はその開状態を示し、濃縮洗剤組成物４５０は、内部空洞４４０から流れて、分与開口３４０を通ることができるようになっている。
【００６５】
１つの実施形態における弁４３０は、圧力が、通常の重力下の濃縮洗剤組成物４５０のものより高い圧力にさらされるときのみ、濃縮洗剤組成物４５０が分与開口４３０を通り抜けることができるようになっている。
【００６６】
或いは、他の実施形態における弁４３０は、２つのモードを持つ弁で、ここで、２つのモードを持つ弁は、図５の図示で見ることができるように、変形可能な容器３１０が意図しない外力にさらされたときに濃縮洗剤組成物４５０を漏らすことがない性能を持つ第１の操作モード、及び使用者により適用された意図的な外力に変形可能な容器３１０がさらされたときに、図７の図示で見ることができるように、濃縮洗剤組成物４５０を分与する能力を持つ第２の操作モードを有する。
【００６７】
図８は、図３の、底部から分与する容器３００が人間の手５００によって握られて、濃縮洗剤組成物４５０を分与する具体的な実例である。（人間の手又はその部分は本発明の範囲の一部ではない）。
【００６８】
図９は他の可能な具体的な実例である。図９において、底部から分与する容器７００は、球形状の変形可能な容器６１０及び長方形状の分与キャップ６２０からなる。本発明にかかる底部から分与する容器、変形可能な容器、及び分与キャップはいかなる形状でもよい。
【００６９】
３）濃縮洗剤組成物
濃縮洗剤組成物は、軽質液体洗剤（「ＬＤＬ」とも呼ばれる食器手洗い用の洗剤）、軽質洗剤（「ＬＤＤ」、絹、羊毛、などのような繊細な布地に使用されるように作られた洗濯用洗剤）、強力な液体洗濯洗剤（「ＨＤＬ」）、自動食器洗浄機用ゲルのような、任意の透明若しくは半透明のクリーニング用の消費者製品、ボディーシャンプーやシャンプーのような人体用洗浄組成物、又は布地用の柔軟仕上げ剤であってもよい。１つの実施形態では、組成物は透明若しくは半透明のＨＤＬである。容器、ポリマーのラベル、及び／又は組成物の中の紫外線吸収材料は、染料、着色剤、酵素、及びその他の製品中の構成要素などの、紫外線の影響を受けやすい材料による破壊に対する保護を目的としている。
【００７０】
本願で使用される「濃縮洗剤組成物」は、液体洗剤組成物などのような従来の組成物と比較して少ない量の水を含む組成物を示す。
【００７１】
濃縮洗剤組成物は任意の好適な状態のものでもよいが、具体的には、固体（すなわち錠剤若しくは顆粒）又は気体の状態であってはならない。実例には液体、ゲル、液体ゲルなどが含まれる。この組成物には、好適に、消費者により、又は家庭用若しくは商業用の洗濯設備によって制御される自動投与システムによって投与されてもよい、十分な流体レオロジーを有する。
【００７２】
一般的に、この組成物は等方性でも非等方性でもよい。しかし、それらは一般的には、当該分野において記述されているような、層が分離した洗剤のように、分かれた層に分離していない。１つの具体的な組成物は、非等方性であり、かつ保存されるその組成物が（ｉ）２つの層に分離していないか或いは（ｉｉ）組成物が層に分かれている場合、１つの主層が存在し、その組成物の少なくとも約９０重量％が、さらに具体的には、約９５重量％を超えるものが、さらにより具体的には約９９重量％を超えるものが、その層からなる。その他の具体的な組成物は、完全に等方性である。
【００７３】
本願で使用するとき、「ゲル」には、注ぐときの粘度の範囲が１，０００〜５，０００ｍＰａｓ（ミリパスカル秒）、より具体的には３，０００ｍＰａｓ未満、さらにより具体的には１，５００ｍＰａｓ未満のずり減粘ゲルを含む。ゲルには濃厚な液体を含む。より具体的には、濃厚な液体は、蜂蜜やシロップのように、流れの条件の変化とともに粘度が変化しない、ニュートン流体であってもよい。この種類の液体ゲルは、分与が非常に困難であり、厄介である。別の種類の液体ゲルはずり減粘であり、すなわち、低せん断力下（例えば、静止時）で濃厚であり、高流量では希薄である。ずり減粘ゲルのレオロジーは、文献により詳細に記載されており、例えば国際特許第ＷＯ０４０２７０１０Ａ１号（ユニリーバ（Unilever））を参照のこと。
【００７４】
その他の本発明にかかる具体的な組成は、注ぐことができるゲルであり、具体的には粘度が少なくとも１，５００ｍＰａｓで６，０００ｍＰａｓ未満であり、より具体的には４，０００ｍＰａｓ未満であり、さらにより具体的には３，０００ｍＰａｓ未満であり、さらにより一層具体的には２，０００ｍＰａｓ未満である。
【００７５】
さらにその他の本発明にかかる具体的な組成は、注ぐことができないゲルであり、具体的には粘度が少なくとも６，０００ｍＰａｓで１２，０００ｍＰａｓ未満であり、より具体的には１０，０００ｍＰａｓ未満であり、さらにより具体的には８，０００ｍＰａｓ未満であり、さらにより一層具体的には７，０００ｍＰａｓ未満である。
【００７６】
具体的な特定の液体若しくはゲルは、自動洗濯機の洗濯サイクルで使用するための強力な液体洗剤、液体のファインウォッシュ、及び／又は色物用洗剤を含む、この組成物を形成する。これらは以下のレオロジー的な特徴を好適に有する。粘度が１，５００ｍＰａｓ未満、より具体的には１，０００ｍＰａｓ未満、さらにより具体的には５００ｍＰａｓ未満である。１つの実施形態では、これらの組成物は、粘度が３０〜４００ｍＰａｓであり、かつニュートン流体か或いはずり減粘である。これらの定義においては、特にそうでないと指定されない限り、示された粘度はせん断速度２１ｓ−１及び温度２５℃にて測定されたものである。
【００７７】
本願における粘度は、いかなる好適な計器でも、例えばカリムド（Carrimed）ＣＬＳ２レオメータでせん断速度２１ｓ−１で測定できる。
【００７８】
濃縮洗剤組成物は、いかなる色、若しくは色あいであってもよい。これらには１つ以上の懸濁相、粒子、若しくはこれらの組合せを含んでもよい。本発明にかかる濃縮洗剤組成物は、特に好ましくはこうした固体は実際には浮遊している系である、懸濁粒子固体を取り扱う能力を持つ。この固体は溶解されない電解質、溶液中の電解質と同じもの若しくは異なるもので、後者は飽和した電解質、でもよい。これらは実質的に水に単独では溶解しない材料であってもよい。こうした実質的に不溶解性の材料の実例としては、アルミノケイ酸塩ビルダー、及びカルサイト研磨剤が挙げられる。
【００７９】
本願で使用するとき、組成物及び／又は方法が、特定の含有物を「実質的に含まない」場合、特定の含有物のいずれも目的を持って組成物に特に添加されていないことを意味するが、微量の特定の含有物が不純物として他の添加物に含まれてもよいこと、すなわち、組成物が、組成物の０．１重量％未満の特定の含有物を含むことを意味することが当業者には理解されるべきである。
【００８０】
１つの実施形態では、濃縮洗剤組成物組成物は不透明である。他の実施形態では、濃縮洗剤組成物は透明若しくは半透明である。
【００８１】
界面活性剤
１つの実施形態では、本発明にかかる濃縮洗剤組成物は１つ以上の界面活性剤（surface active agents,（surfactants））を含んでもよい。この界面活性剤はアニオン性、非イオン性、カチオン性、両性、双曲性、及びそれらの混合であってもよい。１つの実施形態では、本発明で使用する界面活性剤洗剤は、アニオン性及び非イオン性界面活性剤の混合物であるが、いかなる界面活性剤も単独若しくはいかなる他の界面活性剤と組み合わせて使用されてもよいことは理解されるべきである。濃縮洗剤組成物の中に含まれる場合、界面活性剤を、濃縮洗剤組成物の約１重量％〜約７５重量％、より具体的には約５重量％〜約７０重量％含んでもよい。
【００８２】
本願で有用な界面活性剤の具体的な実例は、ノリス（Norris）による１９７２年５月２３日に交付された米国特許第３，６６４，９６１号、ラフリン（Laughlin）らによる１９７５年１２月３０日に交付された米国特許第３，９１９，６７８号、コックレル（Cockrell）らによる１９８０年９月１６日に交付された米国特許第４，２２２，９０５号、マーフィーによる１９８０年１２月１６日に交付された米国特許第４，２３９，６５９号、バラット（Barrat）らによる１９８１年８月２５日に交付された米国特許第４，２８５，８４１号、レイキム（Leikhim）らによる１９８１年８月１８日に交付された米国特許第４，２８４，５３２号、米国特許第４，２８５，８４１号、米国特許第３，９１９，６７８号及び米国特許第２，２２０，０９９号及び２，４７７，３８３号に記述されている。界面活性剤は一般的によく知られており、カーク・オトマール（Kirk Othmer）の化学工業化学百科事典（Encyclopedia of Chemical Technology）第３版、第２２巻、３６０ページ〜３７９ページ、「界面活性剤及び洗浄システム」、マカッチャン（McCutcheon）の洗剤と乳化剤（Detergents & Emulsifiers）、Ｍ．Ｃ．パブリッシング・カンパニー（M.C. Publishing Co.）、（北米版、１９９７年）、シュワルツ（Schwartz）ら、界面活性剤、その化学と技術、ニューヨーク・インターサイエンス・パブリッシャーズ（Interscience Publishers）、１９４９年にさらに詳細に説明されており、さらに「界面活性剤と洗剤」（第Ｉ巻及び第ＩＩ巻、シュワルツ（Schwartz）、ペリー（Perry）、及びバーチ（Berch）による）にさらに情報と実例が記述されている。
【００８３】
好適な非イオン性界面活性剤の具体的な実例には以下のものが含まれる：アルコール・エトキシレート類（例えば、シェル化学社（Shell Chemical Co.）製、ネオドル２５−９）、アルキルフェノール・エトキシレート類（例えば、ユニオンカーバイド社（Union Carbide Corp.）製、タージトル（Tergitol）ＮＰ−９）、アルキルポリグルコシド類（例えば、ヘンケル社（Henkel Corp.）製、グルコポン（Glucapon）６００ＣＳ）、ポリオキシエチレナート化ポリオキシプロピレン・グリコール類（例えば、バスフ社（BASF Corp.）製、プルロニック（Pluronic）Ｌ−６５）、ソルビトール・エステル類（例えばヘンケル社（Henkel Corp.）製、エムソーブ（エムソーブ）２５１５）、ポリオキシエチレン化ソルビトール・エステル類（例えば、ヘンケル社（Henkel Corp.）製、エムソーブ（Emsorb）６９００）、アルカノールアミド類（例えば、ローヌ・プーラン社（Rhone-Poulenc Co.）製、アルカミド（Alkamide）ＤＣ２１２／ＳＥ）、及びＮ−アルキピロリドン類（例えば、ＩＳＰテクノロジーズ社（ISP Technologies Inc.）製、サーファドン（Surfadone）ＬＰ−１００）及びこれらの組合せ。付加的である具体的な好適な非イオン性界面活性剤は米国特許第４，３１６，８１２号及び米国特許第３，６３０，９２９号に開示されている。
【００８４】
非イオン界面活性剤がゲル洗剤組成物に含まれる場合は、ゲル洗剤組成物の約０．０１重量％〜約７０重量％、より具体的には約１重量％〜約５０重量％、さらにより具体的には約５重量％〜約４０重量％含まれていてもよい。
【００８５】
好適なアニオン性界面活性剤の具体的な実例には以下のものが含まれる：直鎖アルキルベンゼンスルホネート類（例えば、ビスタ化学社（Vista Chemical Co.）より市販されている、ビスタ（Vista）Ｃ−５００）、分岐状直鎖アルキルベンゼンスルホネート類（例えば、ＭＬＡＳ）、アルキルスルホネート類（例えば、ステパン社（Stepan Co.）より市販されている、ポリステップ（Polystep）Ｂ−５）、分岐状アルキルスルホネート類、ポリオキシエチレン化アルキル硫酸塩類（例えば、ステパン社（Stepan Co.）より市販されている、スタンダポール（Standapol）ＥＳ−３）、アルファオレフィンスルホネート類（例えば、ウィットコ社（Witco Corp.）より市販されている、ウィットコネート（Witconate）ＡＯＳ）、アルファスルホメチルエステル類（ステパン社（Stepan Co.）より市販されている、アルファ−ステップ（Alpha-Step）ＭＣｐ−４８）、及びイセチオネート類（例えば、ＰＰＧ工業社（PPG Industries Inc.）より市販されている、ジョルダポン（Jordapon）ＣＩ）、並びにこれらの組合せ。
【００８６】
アニオン界面活性剤がゲル洗剤組成物に含まれる場合は、ゲル洗剤組成物の約０．０１重量％〜約７０重量％、より具体的には約１重量％〜約５０重量％、さらにより具体的には約５重量％〜約４０重量％含まれていてもよい。
【００８７】
本発明の界面活性剤として使用できる具体的なカチオン界面活性剤は、米国特許第４，４９７，７１８号に詳細に記述されている。特定のカチオン界面活性剤には、１つ若しくは２つのヒドロキシエチル部分を１つ若しくは２つのメチル部分に替えた、Ｃ８〜Ｃ１８アルキルジメチルアンモニウムハロゲン化物類及び類似体が含まれる。
【００８８】
カチオン性界面活性剤がゲル洗剤組成物に含まれる場合は、ゲル洗剤組成物の約０．０１重量％〜約７０重量％、より具体的には約１重量％〜約５０重量％、さらにより具体的には約５重量％〜約４０重量％含まれていてもよい。
【００８９】
両性界面活性剤の実例は、ナトリウム３（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、二ナトリウム３−（Ｎ−カルボキシメチルドデシルアミノ）プロパン１―スルホネート、二ナトリウムオクタデシル−イミノジアセテート、ナトリウム１−カルボキシメチル−２−ウンデシルイミダゾール、及びナトリウムＮ，Ｎ−ｂｉｓ（２−ヒドロキシエチル）−２−スルファト−３−ドデコキシプロピルアミンである。
【００９０】
両性界面活性剤が、ゲル洗剤組成物に含まれる場合は、ゲル洗剤組成物の約０．０１重量％〜約７０重量％、より具体的には約１重量％〜約５０重量％、さらにより具体的には約５重量％〜約４０重量％含まれていてもよい。
【００９１】
本願で使用してもよい双極性界面活性剤の実例は、米国特許第４，０６２，６４７号に別途説明される。
【００９２】
双極性界面活性剤が、ゲル洗剤組成物に含まれる場合は、ゲル洗剤組成物の約０．０１重量％〜約７０重量％、より具体的には約１重量％〜約５０重量％、さらにより具体的には約５重量％〜約４０重量％含まれていてもよい。
【００９３】
水
本発明にかかる濃縮洗剤組成物は、液体担体を含んでいてもよく、１つの実施形態は水である。一般的には、本願の組成物に含まれる場合、液体担体の量は比較的多く、しばしば洗浄組成物の残量をなすが、洗浄用組成物の約５重量％〜約８５重量％をなすことが可能である。１つの実施形態においては、洗浄用組成物の約１重量％〜約５０重量％の、低い濃度の液体担体が使用されている。
【００９４】
最も価格的に効果的な種類の水性非界面活性液体担体は言うまでもなく水そのものである。１つの実施形態において、その水は蒸留水、脱イオン水、ろ過水、及びこれらの組合せから選択される。他の所望による実施形態では、その水は処理されていなくてもよい。
【００９５】
本願の液体担体は、本組成物として相安定剤及び／又は共溶媒として、低い使用濃度の材料を含んでいてもよい。この種類の物質としては、メタノール、エタノール、及び／又はプロパノールなどのＣ１〜Ｃ３低級アルカノール類が含まれる。モノエタノールアミン類、ジエタノールアミン類、及びトリエタノールアミン類のような低級Ｃ１〜Ｃ３アルカノールアミン類もまた、それ自体で又は低級アルカノール類との組合せで使用することができる。存在する場合は、相安定剤／共溶媒を所望により、本願の組成物の約０．１重量％〜約５．０重量％含むことができる。
【００９６】
美学
濃縮洗剤組成物及び底部から分与する容器は、いかなる望ましい外観若しくは美観を有してもよい。濃縮洗剤組成物及び底部から分与する容器は、不透明、透明若しくは半透明、真珠光沢液体のように、いかなる色若しくは外観であってもよい１つの実施形態では、濃縮洗剤組成物は、空気若しくはガスの気泡、浮遊している液滴、単一若しくは複数の乳濁液滴、浮遊している粒子及び同等品、並びにこれらの組合せを含んでもよい。含むのに好適な寸法は、約０．１μ〜５ｍｍ、より具体的には約２０μ〜約１ｍｍである。これらの所望による浮遊している液体及び／又は粒子は、別個の実体、すなわち、異なる色、形状、質感、及び同等のもの、並びにこれらの組合せとして目視できる。これらの浮遊している液体及び／又は粒子は、異なる色、質感、若しくはその他の、目視で濃縮洗剤組成物のその他部分と区別できる特徴を有することが可能である。
【００９７】
加えて、濃縮洗剤組成物及び底部から分与する容器は、任意の色若しくは色の組合せを有してもよい。この「色」という用語は、可視スペクトルの全ての色、すなわち、赤、オレンジ、黄色、緑、青、ティール、茶色、紫、ライラック、シーグリーン、褐色、ネービー、スミレ色、ピンクなどを含むのみならず、ダークブルー、ライトブルー、ライトグリーンなど、これらの色の全ての陰影、色合い、色相などや、加えて黒、白、及び灰色、並びにこれらのすべての陰影、色合い、色相などを含むことが理解される。さらに、濃縮洗剤組成物及び底部から分与する容器は、加えて、例えば、変化する屈折表示の組合せ、真珠光沢、乳白光沢、屈折的、ホログラフ的効果、金属光沢、光沢仕上げ、マット仕上げ、及び同類のもの、並びにこれらの組合せなどの、追加的な外観上の処理を有してもよい。
【００９８】
他の実施形態では、濃縮洗剤組成物は２つ以上の視覚的に独特の領域を有してもよい。領域は各々それ自体、１つ以上の独特の物理的な相を含むことができる。本願で使用されるときには、「視覚的に独特」という用語は、視覚的に異なる領域を表示する、底部から分与する容器の中、若しくは分与された組成物を示す。これらの異なる領域は、濃縮洗剤組成物を肉眼で見ることができる限り、独特の分離しているか、部分的に混合しているかどちらかである。これらの視覚的に独特の領域の組合せは、任意の幅広い種々のパターンを作りだすために選択され得るが、例として、縞模様、大理石模様、直線状、中断された縞模様、市松模様、まだら、木目模様、クラスター、小さい斑点模様、幾何学的、ぶち、リボン状、螺旋、渦巻、配列、斑入り、脈模様、溝、畝模様、波模様、正弦波形状、スパイラル、ねじれ模様、曲線、円、稲妻、線模様、輪郭のある、異方性、レース模様、織り若しくは編み、かご編み、水玉模様、及びモザイクが挙げられる。このパターンは、任意の底部から分与する容器の寸法にわたり、縞模様であってもよく、また比較的均一かつ均等であってもよい。或いは、縞模様のパターンは均一でなくてもよく、すなわち波形、若しくは寸法において均一でなくてもよい。この縞模様のパターンは、任意の底部から分与する容器の全寸法にわたって広げられる必要はない。
【００９９】
本願において使用されるとき、「縞模様」という用語は、濃縮洗剤組成物に含まれる各相が、貯蔵されている底部から分与する容器の内側で分離されているが独特の物理的空間を占め、しかしながら相互に直接接触することを意味する。（すなわち、それらは障壁によって分けられているのではなく、それらは、極端な度合いまで乳化され若しくは混合されていない）。この縞模様は、底部から分与する容器の寸法にわたり、また比較的均一かつ均等であってもよい。或いは、縞模様は均一でなくてもよく、すなわち波形、若しくは寸法において均一でなくてもよい。この縞模様は、底部から分与する容器の全寸法にわたって広げられる必要はない。この「縞模様」は、これらの形状の濃度が視覚的に独特の帯域若しくは領域を形成する、種々の幾何学的パターン、種々の色、及び、又はギラギラしたもの若しくは真珠光沢からなっていてもよい。
【０１００】
本願で使用されるときには、「大理石模様」という用語は、大理石に類似した脈模様及び／又はまだらの外観を有する縞模様のデザインをさす。
【０１０１】
この組成物の物理的な特徴、すなわち、色、粘度、レオロジー、質感、密度等、数多くの変形が可能であるが、色の変化は広く求められる。濃縮洗剤組成物に適用された具体的なデザイン若しくはパターン（すなわち、縞模様若しくは大理石模様の幅、長さ等）は、例えば、レオロジー的な相の特徴、分与手段の直径、充填時の容器の回転の有無、速度の割合及び一定の度合い、並びにこれの組合せのような数多くの要素の変化により異なる可能性がある。
【０１０２】
補助剤成分
この液体洗剤組成物は、機能的な及び／又は美的な特性の追加的な望ましい特徴を得るために、１つ以上の補助剤成分を含んでいてもよい。
【０１０３】
本願に記載されている組成物及び方法は、具体的には、濃縮洗剤組成物の約０．０００１重量％〜約９５重量％、より具体的には約０．００１重量％〜約７０重量％の補助剤成分を含んでもよい。
【０１０４】
本発明の１つの実施形態では、補助剤成分は、ビルダー、増白剤、移染防止剤、キレート剤、ポリアクリレートポリマー、分散剤、着色染料、色調染料、香料、加工補助剤、漂白補助剤、漂白活性剤、漂白前駆体、漂白触媒、溶媒、共溶媒、向水性物質、液体担体、相安定剤、汚れ放出ポリマー、酵素安定剤、酵素、汚れ乳濁剤、再堆積防止剤、解膠剤、殺菌剤、殺真菌剤、紫外線吸収剤、黄変防止剤、酸化防止剤、光学的増白剤、石鹸泡抑止剤、不透明化剤、石鹸泡強化剤、腐食防止剤、ラジカルスカベンジャー、塩素スカベンジャー、布地柔軟仕上げ添加物、他の布地ケア有益剤、ｐＨ調整剤、蛍光増白剤、スメクタイト粘土、構造剤、防腐剤、増粘剤、着色剤、布地柔軟仕上げ添加物、レオロジー改良剤、充填剤、殺菌剤、及びこれらの組合せから選択してもよい。さらに、好適な補助剤成分の実例及び使用濃度は、バスカービル・ジュニア（Baskerville, Jr.）らによる１９７６年２月３日に交付された米国特許第３，９３６，５３７号、バラット（Barrat）らによる１９８１年８月２５日に交付された米国特許第４，２８５，８４１号、マーメルスタイン（Mermelstein）らによる１９８９年７月４日に交付された米国特許第４，８４４，８２４号、ブッシュ（Bush）らによる、米国特許第４，６６３，０７１号、サドロウスキー（Sadlowski）らによる１９９０年３月２０日に交付された米国特許第４，９０９，９５３号、バートレッタ（Bartoletta）らによる１９７６年１月２０日に交付された米国特許第３，９３３，６７２号、ゴールト（Gault）らによる１９７９年１月２３日に交付された米国特許第４，１３６，０４５号、米国特許第２，３７９，９４２号、米国特許第３，３０８，０６７号、モンタギュー（Montague）らによる米国特許第５，１４７，５７６号、英国特許第１，４７０，２５０号、マリオット（Marriott）による英国特許第４０１，４１３号、マリオット（Marriott）及びグアム（Guam）による英国特許第４６１，２２１号、英国特許第１，４２９，１４３号、及びタッカー（Tucker）らによる１９８８年８月９日に交付された米国特許第４，７６２，６４５号に記述されている。
【０１０５】
一部の可能性がある、補助剤成分の非限定的な実例を以下に示す。
【０１０６】
好適なキレート剤の非限定的な実例には、Ｓ，Ｓ−エチレンジアミン二コハク酸（ＥＤＤＳ）、タイロン（Ｔｉｒｏｎ（登録商標））（酸若しくは水に溶解できる塩として、カテコール−２，５−ジスルホン酸塩として知られている）、エチレンジアミン四酢酸（ＥＤＴＡ）、ジエチレントリアミン五酢酸（ＤＴＰＡ）、１−ヒドロキシエチリジン１，１ジホスホン酸（ＨＥＤＰ）、ジエチレントリアミン−ペンタ−メチレンホスホン酸（ＤＴＰＭＰ）、ジコリン酸及び塩、及び／又はこれらの酸及びこれらの混合物が含まれる。さらに、好適なキレート剤の実例及び使用濃度は、米国特許第３，８１２，０４４号、同第４，７０４，２３３号、同第５，２９２，４４６号、同第５，４４５，７４７号、同第５，５３１，９１５号、同第５，５４５，３５２号、同第５，５７６，２８２号、同第５，６４１，７３９号、同第５，７０３，０３１号、同第５，７０５，４６４号、同第５，７１０，１１５号、同第５，７１０，１１５号、同第５，７１２，２４２号、同第５，７２１，２０５号、同第５，７２８，６７１号、同第５，７４７，４４０号、同第５，７８０，４１９号、同第５，８７９，４０９号、同第５，９２９，０１０号、同第５，９２９，０１８号、同第５，９５８，８６６号、同第５，９６５，５１４号、同第５，９７２，０３８号、同第６，１７２，０２１号、及び同第６，５０３，８７６号に記述されている。
【０１０７】
使用することができる、好適なビルダーの好適な実例には、水溶性アルカリ金属リン酸塩類、ポリリン酸塩類、ホウ素酸塩類、ケイ酸塩類、さらに、炭酸塩類、水溶性アミノポリカルボキシレート類、フィチン酸の水溶性塩類、ポリカルボキシレート類、ゼオライト類、若しくはアルミノケイ酸塩類、及びこれらの組合せが含まれる。ナトリウム及びカリウム三リン酸塩類、ピロリン酸塩、オルトリン酸塩、ヘキサメタリン酸塩類、四ホウ酸塩類、ケイ酸塩類、及び炭酸塩類；メリト酸、クエン酸、及びカルボキシメチルオキシコハク酸の水溶性塩類、イタコン酸及びマレイン酸のポリマー類の塩類、酒石酸モノスクシネート、酒石酸ジスクシネート。
【０１０８】
本発明で使用することができる酵素は、以下により詳細に記述されている。１つの実施形態で、存在する場合、所望による酵素は、プロテアーザ、クチナーゼ、ヘミセルラーゼ、ペルオキシダーゼ類、セルラーゼ類、キシラナーゼ類、リパーゼ類、ホスホエリパーゼ類、エステラーゼ類、クチナーゼ類、ペクチナーゼ類、ケラタナーゼ類、レダクターゼ類、オキシダーゼ類、フェノールオキシダーゼ類、レポキシゲナーゼ類、リグニナーゼ類、プルラナーゼ、タンナーゼ類、ペントサナーゼ類、メラナーゼ類、β−グルカナーゼ類、アラビノシダーゼ類、ヒアルロニダーゼ、コンドロイチナーゼ、ラクターゼ、アミラーゼ、及びこれらの組み合わせから選択される。
【０１０９】
好適な市販の酵素の非限定的なリストには、以下のものが含まれる：アミラーゼ類（α及び／又はβ）については、国際特許第ＷＯ９４／０２５９７号及び国際特許第ＷＯ９６／２３８７３号に記述されている。市販品の実例はピュラフェクト（Purafect）ＯｘＡｍ（登録商標）［ジェネンコア（Genencor）］、並びにターマミル（Termamyl）（登録商標）、ナタラーゼ（Natalase）（登録商標）、バン（Ban）（登録商標）、フンガミル（Fungamyl）（登録商標）及びデュラミル（Duramyl）（登録商標）［すべてノボザイムズ（Novozymes）より］である。セルラーゼには、細菌性若しくは真菌性セルラーゼ、例えば、フミコーラ・インソレンス（Humicola insolens）、特にＤＳＭ１８００により生産されたもの、例えば５０Ｋｄａ、及び４３ｋＤ［ケアザイム（Carezyme）（登録商標）］が含まれる。好適なセルラーゼ類はまた、トリコデルマ・ロンギプラチアタム（Trichoderma longibrachiatum）からのＥＧＩＩＩセルラーゼである。好適なリパーゼ類には、シュードモナス（Pseudomonas）及びクロモバクター（Chromobacter）群によって生産されるものが含まれる。好ましいものは、例えばノボザイムズ（Novozymes）からのリポラーゼ（Lipolase）（登録商標）、リポラーゼ・ウルトラ（Lipolase Ultra）（登録商標）、リポプライム（Lipoprime）（登録商標）及びリペックス（Lipex）（登録商標）である。クチナーゼ［ＥＣ３．１．１．５０］及びエステラーゼも好適である。カルボヒドラーゼ類、例えばマンナナーゼ（米国特許第６０６０２９９号）、ペクテート・リアーゼ（国際特許第ＷＯ０９９／２７０８３号）、シクロマルトデキストリングルカノトランスフェラーゼ（国際特許第ＷＯ０９６／３３２６７号）、キシログルカナーゼ（国際特許第ＷＯ０９９／０２６６３号）最終的にエンハンサーとともに用いられる漂白酵素としては、例えばペルオキシダーゼ類、ラッカーゼ類、オキシゲナーゼ類（例えばカテコール１，２ジオキシゲナーゼ、リポキシゲナーゼ、（国際特許ＷＯ０９５／２６３９３）、（非ヘム）ハロペルオキシダーゼ類が挙げられる。好適なプロテアーゼには、ノボザイムズ（Novozymes）から入手可能なアルカラーゼ（Alcalase）（登録商標）、サビナーゼ（Savinase）（登録商標）、ケナーゼ（Kannase）（登録商標）、エバラーゼ（Everlase）（登録商標）、エスペラーゼ（Esperase）（登録商標）、ジェネンコア（Genencor）から入手可能なピュラフェクト（Purafect）（登録商標）、ピュラフェクスト（Purafext）Ｏｘ（登録商標）、プロペラーゼ（Properase）（登録商標）、ヘンケル（Henkel）から入手可能なＢＬＡＰ及びＢＬＡＰ変異型、ギスト・ブロケイズ（Gist-Brocades）のマクサターゼ（Maxatase）、及びマクサカル（Maxacal）、昭和電工のカズサセ（Kazusase）、及び花王から入手可能なプロテアーゼ類に類似のＫ−１６が含まれる。付加的な具体的なプロテーゼ類は、例えば、欧州特許第ＥＰ１３０７５６号、国際特許第ＷＯ９１／０６６３７号、国際特許第ＷＯ９５／１０５９１号、国際特許第ＷＯ９９／２０７２６号、米国特許第５０３０３７８号（プロテーゼ「Ａ」）、及び欧州特許第ＥＰ２５１４４６号（プロテーゼ「Ｂ」）に記述されている。
【０１１０】
ゲル洗剤組成物には向水性物質を加えてもよい。向水性物質は液晶の生成を減らし及び防ぎ、さらにより具体的には、向水性物質は所望によりゲル洗剤組成物に存在し得る。具体的な向水性物質には、プロピレングリコール、グリセリン、エタノール、尿素、ベンゼンスルホネートの塩、トルエンスルホネートの塩、キシレンスルホネートの塩、クメンスルホネートの塩、及びこれらの混合物が含まれる。具体的な塩には、ナトリウム、カリウム、アンモニウム、モノエタノールアミン、トリエタノールアミン、及びこれらの混合物が含まれる。１つの実施形態では、向水性物質はプロピレングリコール、グリセリン、キシレンスルホネート、エタノール、尿素、及びこれらの混合物を含む。１つの実施形態では、所望による向水性物質は、約０〜約１５％、より具体的には約０．１％〜８％、さらにより具体的には約０．２％〜６％、さらに一層より具体的には約０．５％〜約３％の範囲であってもよい。
【０１１１】
１つの所望による補助剤成分は、アロンソン（Aronson）らの米国特許第５，０８９，１６３号及び第４，９５９，１７９号に説明されている、ｐＨジャンプシステム（例えば、ホウ素化合物／ポリオール）である。ｐＨジャンプシステムに含まれるものは、中和された飽和脂肪酸の利点を得ること及び界面活性剤の量を最小とするために、脂肪酸を中和するために、ｐＨが洗濯機の中で急上昇することを確実にする。
【０１１２】
１つの実施形態では、ゲル洗剤組成物は、架橋したポリアクリレート、多糖類ガム（例えばキサンタン）、ジェラン、ペクチン、カラギーナン、ゼラチンなどの、従来の増粘剤は実質的に含まれない（すなわち１％未満、より具体的には０．５％未満、さらにより具体的には０．１％未満含む）。しかし、その他の具体的な代替実施形態では、これらの従来の増粘剤が使われてもよい。
【０１１３】
上述の所望による含有成分のリストは、包括的なものであることを意図しておらず、その他の所望による含有成分は記載されていない場合があるが、それらは当該技術分野において周知のものであり、前記組成物含まれていてもよい。
【０１１４】
透明若しくは半透明
本願において使用されるとき、「透明若しくは半透明」とは、可視スペクトル（約４１０〜８００ｎｍ）の少なくとも電磁放射線の１つの波長の約２５％より高い、より具体的には約３０％より高い、さらにより具体的には約４０％より高い、さらにより一層具体的には電磁スペクトルの可視部分の約５０％より高い透過性を示し、ここで透過性の％は以下のものと等しい。
【数１】
2009535275.tif 000003
【０１１５】
或いは、ボトルの可視電磁スペクトル吸光性が約０．６未満の場合、容器、組成物などは透明若しくは半透明とみなされる。透明若しくは半透明の対象物の具体的な実例の１つは、透き通ったボトル若しくは透き通った組成物である。透明若しくは半透明の対象物の他の実例は、薄い青色又は赤色を有するが、まだ少なくとも可視スペクトルの中の電磁スペクトルの１つの波長の約２５％の透過性より高い透過性を有するような、色つきのボトル若しくは組成物である。
【０１１６】
１つの実施形態では、濃縮洗剤組成物は、透明若しくは半透明で、約４１０ナノメートル〜約８００ナノメートルの波長において１ｃｍのキュベットを使用した光の少なくとも約５０％の透過性を有する。
【０１１７】
追加的な、透明若しくは半透明及び不透明の容器及び／又は組成物などの具体的な情報と実例は、マーフィー（Murphy）らによる交付された米国特許第６，６３０，４３７号、ギブリン（Giblin）らによる交付された米国特許第６，７５６，３５０号、ギブリン（Giblin）らによる交付された米国特許第６，６３１，７８３号、ベー・リー（Bae-Lee）らによる交付された米国特許第６，１５９，９５８号に見出される。
【０１１８】
本願において使用されるとき、「不透明」とは、可視スペクトルの中の電磁放射線の全ての波長の約２５％より低い透過性、より具体的には透過性が約２０％より低い、さらにより具体的には約１５％より低い、さらにより一層具体的には約１０％より低い、電磁スペクトルの可視部分の約５％未満の、透過性を示す。或いは、ボトルの可視電磁スペクトル吸光度が約０．６より大きい場合、容器、組成物などは不透明とみなされる。
【０１１９】
方法  −  吸光度及び透過性の測定  −  機器：ミルトン・ロイ・スペクトロニック６０１
手順：
１．分光光度計及び電源ボックスのスイッチを入れ、約３０分間暖機する。
２．波長を設定する。キーパッドに希望する波長を打ち込む（すなわち５９０、６４０など）。［第２の機能］キーを押す。「λへ進む」［はい］キーを押す。これで機械は選択された波長を読む準備ができた。
３．機器のゼロを合わせる。［第２の機能］キーを押す。「ゼロＡ」［％Ｔ／ＡＩＣ］を押す。これで機器は「ＸＸＸ  ＮＭ  ０．０００  Ａ  Ｔ」と読めるはずである。
４．カバーを開け、サンプルをセンサーの前に立たせて置く。
５．蓋を閉め、読み取りを記録する（例えば、６４０  ＮＭ  ０．１２３  Ａ  Ｔ）
注意：全ての読み取りは「Ａ」モード（吸光度モード）で行なう。新しい波長設定ごと、及び／又は新しいサンプルごとに機器のゼロ合わせを行なう。
【表１】
2009535275.tif 000004
【０１２０】
「発明を実施するための最良の形態」で引用した全ての文献は、関連部分において、本明細書の参照として組み込まれるが、いかなる文献の引用も、それが本発明に対する先行技術であることを容認するものと解釈されるべきではない。この文書における用語のいずれかの意味若しくは定義が、参照として組み込まれる文献における用語のいずれかの意味若しくは定義と対立する範囲については、本文書におけるその用語に与えられた定義を適用するものとする。
【０１２１】
本発明にかかる具体的な実施形態を図示し、記載したが、本発明の趣旨及び範囲から逸脱することなく他の種々の変更及び修正を実施できることが当業者には自明である。従って、本発明の範囲内にあるそのような全ての変更及び修正を添付の特許請求の範囲で扱うものとする。
【図面の簡単な説明】
【０１２２】
【図１】図１は、１つの可能な底部から分与する容器の正面図の具体的な実例。
【図２】図１の底部から分与する容器の断面。
【図３】１つの可能な底部から分与する容器の正面図の具体的な実例。
【図４】図３の底部から分与する容器の分解組立図。
【図５】図３の底部から分与する容器の閉止位置の弁を示す断面。
【図６】図３の底部から分与する容器の弁の断面。
【図７】図３の底部から分与する容器の開位置の弁を示す断面。
【図８】人間の手に握られた、図３に図示された、底部から分与する容器の具体的な実例。
【図９】他の底部から分与する容器の具体的な実例。
【図１】
2009535275.tif 000005
【図２】
2009535275.tif 000006
【図３】
2009535275.tif 000007
【図４】
2009535275.tif 000008
【図５】
2009535275.tif 000009
【図６】
2009535275.tif 000010
【図７】
2009535275.tif 000011
【図８】
2009535275.tif 000012
【図９】
2009535275.tif 000013
【国際調査報告】
2009535275.tif 000014
2009535275.tif 000015
2009535275.tif 000016